(57)【要約】【課題】操作性、品位を損なわない安価なタッチインタフェースを供えた加熱調理器を提供する。【解決手段】加熱調理器は、加熱部と、調理メニューや加熱条件を入力する操作部と、記憶部と、表示部と、加熱部および表示部を制御する制御部とを備え、操作部は、表示部と一体的に構成され、一部にのみ透明電極を配置したタッチパネルであり、透明電極により電気的に指の接触を入力として検出する第一の入力手段と、透明電極を配置しない領域への指の接触を検出する第二の入力手段とで構成する。これにより、電気的に指の接触を検出するための透明電極配置領域を制限し、透明電極を配置しない領域には必要な分解能に応じた数の光センサなどを用いることで安価にタッチ操作を実現し、タッチパネルの操作性及び品位を損なわない安価なタッチインタフェースを供えた加熱調理器を提供できる。【選択図】図１
2013119953.tif 000002
【特許請求の範囲】
【請求項１】
被加熱物を加熱するための加熱部と、調理メニューや前記加熱部の加熱条件を入力する操作部と、少なくとも調理メニューや表示データを記憶している記憶部と、前記記憶部に記憶されている情報および加熱条件、加熱制御状態を表示する表示部と、前記加熱部および前記表示部を制御する制御部とを備え、前記操作部は、前記表示部と一体的に構成され、一部にのみ透明電極を配置したタッチパネルであり、透明電極により電気的に指の接触を検出する第一の入力手段と、透明電極を配置しない領域への指の接触を検出する第二の入力手段とで構成されていることを特徴とする加熱調理器。
【請求項２】
前記操作部は、前記第一の入力手段によってのみ前記加熱部の加熱条件を入力することを特徴とする請求項１に記載の加熱調理器。
【請求項３】
前記第二の入力手段は、赤外線などの光を信号光として発光する発光部と、前記発光部より発光された信号光を受光する受光部とを前記表示部の周囲の少なくとも縦または横に対極に配置することで構成され、前記受光部で前記発光部より発光された信号光を検出するか否かにより前記発光部の発光方向における障害物の有無を検出することを特徴とする請求項１に記載の加熱調理器。
【請求項４】
前記制御部は、前記第一の入力手段と前記第二の入力手段の入力を共に検出した場合、前記第一の入力手段の入力を元に制御することを特徴とする請求項１から請求項３に記載の加熱調理器。
【請求項５】
前記制御部は、前記第二の入力手段から一定時間の間連続して入力を検出した場合、第二の入力手段からの入力を無効とすることを特徴とする請求項１から請求項３に記載の加熱調理器。
【請求項６】
コンピュータに請求項４〜５のいずれか１項に記載の制御部の少なくとも一部を実行させるためのプログラム。
【発明の詳細な説明】
【技術分野】
【０００１】
本発明は、加熱調理器に関するものであり、特にタッチインタフェースを備えた誘導加熱調理器に関するものである。
【背景技術】
【０００２】
近年、鍋などの調理容器を加熱コイルにより誘導加熱する誘導加熱調理器が広く普及している。従来の誘導加熱調理器は、使用者の指示に基づいて加熱コイルを制御するために、加熱の切／入や火力の上げ下げなどの所定の機能がそれぞれ割り当てられた複数の入力キーを、加熱部毎に備えていた。図２５は、特許文献１に記載された従来の誘導加熱調理器を示す構成図である。図２５に示すように本体２１と本体２１の天面に配された複数の加熱部２４、２５、２６と、加熱部２４、２５、２６それぞれ対応する複数の入力キー２７、２８、２９を含む操作部を備えて、複数の入力キー２７、２８、２９は、各加熱部への加熱条件を入力する加熱入切キーを含む複数の入力キーを構成している。
【０００３】
しかしながら、前記従来の構成のように加熱部毎に入力キーを備える構成では、加熱部それぞれの操作部、表示部の操作・確認が必要であり、煩わしいという問題があった。特に、各加熱部の加熱制御状態は個々の表示部に表示されるため、異常状態が発生していても別の加熱部操作をしていると気付かない場合があるなどの問題もあった。
【０００４】
これに対し、特許文献２では、調理の加熱条件（火力や時間、温度等）をできるだけ共通の画面で設定し、且つ確認することを可能にしている。図２６は、特許文献２に記載された従来の誘導過熱調理器を示す構成図である。図２６に示すように本体１と本体１の天面に配された複数の加熱部６Ｒ、６Ｌ、７と、加熱部６Ｒ、６Ｌ、７の制御および状態が確認可能な中央表示・入力部８０を備えている。また、中央表示・入力部８０には互いに独立した６つの接触型の入力キー４８４、５００〜５０４（図示せず）が備えられており、入力できる条件の前提となる各種パラメータ（対象となる加熱手段、加熱温度や時間、通電量など）設定に必要な文字と記号（矢印など）が同キーの配置位置に対応して表示される。
【先行技術文献】
【特許文献】
【０００５】
【特許文献１】特開平１０−２１４６７７号公報（頁１１、図１）
【特許文献２】特開２００９−２７７６６４号公報（頁３７、図３６）
【発明の概要】
【発明が解決しようとする課題】
【０００６】
しかしながら、前記従来の構成では、中央表示・入力部８０で複数の加熱部の制御状態を同時に確認できるが、加熱部を制御する際は入力キー４８４、５００〜５０４を操作し表示される情報を制御したい加熱部の制御内容に切り替えなければならないという課題がある。単純に加熱を停止する場合でも切り替え操作が必要であり、急いで操作をしたい場合などは煩わしく不便である。また、１つの加熱部を制御中は他の加熱部の状態が確認できないという問題もある。特に複数の加熱部を制御する場合は都度操作対象の切り替え操作を繰り返す必要があり非常に煩わしい。このため、中央表示・入力部８０以外の操作部、上面操作部２０も備えられているが、このように他の操作部を備えては従来の加熱部毎の入力キーの煩わしさを解決することにはならない。
【０００７】
前記従来の構成は、中央表示・入力部８０において操作できる入力キーが不足している
（一部にのみしか配置されていない）ためであり、中央表示・入力部８０全体をタッチパネル化し入力キーを増やすことで解決できると考えられる。しかし、タッチパネルはプッシュスイッチなど一般的な操作キーよりも高価でありそのコストは操作部の面積と検出精度に比例する。特に、特許文献２に記載されているような電気的にタッチを検出する方式では透明電極を配した透明導電性フィルムの種類と量に大きく影響する。そのため、表示部全面を単純にタッチパネル化するとコストが増大することになる。
【０００８】
本発明は、前記従来の課題を解決するものであり、電気的に指の接触を検出するための透明電極配置領域を制限し、透明電極を配置しない領域には必要な分解能に応じた数の光センサなどを用いることで安価にタッチ操作を実現し、タッチパネルの操作性及び品位を損なわない安価なタッチインタフェースを供えた加熱調理器を提供することを目的とする。
【課題を解決するための手段】
【０００９】
前記従来の課題を解決するために、本発明の加熱調理器は、被加熱物を加熱するための加熱部と、調理メニューや加熱部の加熱条件を入力する操作部と、少なくとも調理メニューや表示データを記憶している記憶部と、記憶部に記憶されている情報および加熱条件、加熱制御状態を表示する表示部と、加熱部および表示部を制御する制御部とを備え、操作部は、表示部と一体的に構成され、一部にのみ透明電極を配置したタッチパネルであり、透明電極により電気的に指の接触を入力として検出する第一の入力手段と、透明電極を配置しない領域への指の接触を検出する第二の入力手段とで構成するようにしたものである。
【００１０】
これによって、電気的に指の接触を検出するための透明電極を配置する領域を制限（少なく）することで電極数を抑制してコストを抑えることができ、また透明電極を配置しない領域は光センサなどを必要な分解能に応じた数配置することで同様にタッチ操作を安価に実現でき、タッチパネルの操作性、品位を共に損なわない安価なタッチインタフェースを供えた加熱調理器を提供することができる。
【発明の効果】
【００１１】
本発明の加熱調理器、加熱調理器の操作方法およびプログラムによれば、全面タッチパネルではないにも関わらずあたかも全面タッチパネルのような印象を与えることが可能なタッチインタフェースを実現でき、品位を損なわずかつ安価に加熱調理器の操作性を向上できるという効果がある。
【図面の簡単な説明】
【００１２】
【図１】本発明の実施の形態１における加熱調理器の概略構成図
【図２】本発明の実施の形態１における加熱調理器の操作・表示部の平面図
【図３】本発明の実施の形態１における加熱調理器の操作・表示部の断面図
【図４】本発明の実施の形態１における加熱調理器の制御ブロック図
【図５】本発明の実施の形態１における初期画面の一例を示す図
【図６】本発明の実施の形態１における詳細設定画面の一例を示す図
【図７】本発明の実施の形態１における基本操作画面の一例を示す図
【図８】本発明の実施の形態１における詳細設定画面の一例を示す図
【図９】本発明の実施の形態１における詳細設定画面の一例を示す図
【図１０】本発明の実施の形態１における詳細設定画面の一例を示す図
【図１１】本発明の実施の形態１における基本操作画面の一例を示す図
【図１２】本発明の実施の形態１における加熱中の詳細設定画面の一例を示す図
【図１３】本発明の実施の形態１における加熱中の詳細設定画面の一例を示す図
【図１４】本発明の実施の形態１における複数加熱部稼働時の基本操作画面の一例を示す図
【図１５】本発明の実施の形態１における初期画面の一例を示す図
【図１６】本発明の実施の形態１における異常通知画面の一例を示す図
【図１７】本発明の実施の形態１における異常詳細通知画面の一例を示す図
【図１８】本発明の実施の形態１における操作・表示部の画面遷移図
【図１９】本発明の実施の形態１における操作・表示部の加熱停止中の詳細設定画面の画面遷移図
【図２０】本発明の実施の形態１における操作・表示部の加熱中の詳細設定画面の画面遷移図
【図２１】本発明の実施の形態１における入力検出処理の制御フローチャート
【図２２】本発明の実施の形態１における第二の入力手段の押下位置判定処理のフローチャート
【図２３】本発明の実施の形態２における入力検出処理の制御フローチャート
【図２４】本発明の実施の形態２における第二の入力手段の押下位置判定検出処理のフローチャート
【図２５】従来の加熱調理器を示す図
【図２６】従来の加熱調理器を示す図
【発明を実施するための形態】
【００１３】
第１の発明は、被加熱物を加熱するための加熱部と、調理メニューや加熱部の加熱条件を入力する操作部と、少なくとも調理メニューや表示データを記憶している記憶部と、記憶部に記憶されている情報および加熱条件、加熱制御状態を表示する表示部と、加熱部および表示部を制御する制御部とを備え、操作部は、表示部と一体的に構成され、一部にのみ透明電極を配置したタッチパネルであり、透明電極により電気的に指の接触を入力として検出する第一の入力手段と、透明電極を配置しない領域への指の接触を検出する第二の入力手段とで構成するように構成したものである。
【００１４】
電気的に指の接触を検出するための透明電極を配置する領域を制限（少なく）することで、透明電極の使用量削減によるコスト低減と、電極数抑制によるタッチパネルコントローラＩＣのコスト低減が実現でき、また透明電極を配置しない領域は光センサなどを必要な分解能に応じた数配置することで同様にタッチ操作を安価に実現できる。これにより、全面タッチパネルではないにも関わらずあたかも全面タッチパネルのような印象を与えることが可能なタッチインタフェースを実現でき、タッチパネルの操作性、品位を損なわず安価に加熱調理器の操作性を向上することができる。
【００１５】
第２の発明は、第１の発明において、操作部は、第一の入力手段によってのみ加熱部の加熱条件を入力するように構成したものである。
【００１６】
第一の入力手段は電圧や電流、その他電気現象を用い、電気的に指の接触を検出するものであり、非電気的に検出する第二の入力手段に比べて環境の影響が少なくまた位置検出の精度も高い。調理の成否に影響する加熱条件の制御を誤検出の少ない第一の入力手段に限定することにより、第二の入力手段がゴミや水で意図せず誤動作しても調理中の加熱条件が変更され調理失敗を招くことを防止できる。
【００１７】
第３の発明は、第２の発明において、第二の入力手段は、赤外線などの光を信号光として発光する発光部と、発光部より発光された信号光を受光する受光部とを表示部の周囲の少なくとも縦または横に対極に配置することで構成され、受光部で発光部より発光された信号光を検出するか否かにより発光部の発光方向における障害物の有無を検出するように構成したものである。
【００１８】
これにより、透明電極が配置されていない領域であっても発光部と受光部の間を指が遮ることで指の接触を検出することができる。また、発光部と受光部の数を増やすことでより詳細に位置を検出することができる。特に縦と横に網目状（マトリクス）に配置することにより縦横の交点から画面のどの位置が押下されたかを判断でき、より正確に押下位置を検出することができる。
【００１９】
第４の発明は、第３の発明において、制御部は、第一の入力手段と第二の入力手段の入力を共に検出した場合、第一の入力手段の入力に基づいて制御するように構成したものである。
【００２０】
これにより、誤検出の少ない第一の入力手段の入力を優先させることで、第二の入力手段がゴミや水で意図せず入力を検出してしまっても使用者の意図しない操作が行われる可能性を低減することができる。
【００２１】
第５の発明は、第３の発明において、制御部は、第二の入力手段から一定時間の間連続して入力を検出した場合、第二の入力手段からの入力を無効とするように構成したものである。
【００２２】
一定時間以上連続して入力を検出している場合は第二の入力手段からの入力が使用者の指による入力ではなくゴミや水などを誤検出している可能性が高いと判断できる。第二の入力手段からの入力操作を取り消し訂正し以降の入力を無効とすることにより、使用者の意図しない操作が行われる可能性を低減することができる。
【００２３】
第６の発明は、コンピュータに第４から第５のいずれか１つの発明の少なくとも一部を実行させるプログラムであり、汎用コンピュータやサーバーを用いて本発明の全てもしくは一部を容易に実現することができる。
【００２４】
以下本発明の実施の形態について、図面を参照しながら説明する。なお、この実施の形態によって本発明が限定されるものではない。
【００２５】
（実施の形態１）
図１〜図２２は本発明の実施の形態１における代表的な加熱調理器である誘導加熱調理器を示すものである。図１は加熱調理器の概略構成図、図２は加熱調理器の操作・表示部の平面図、図３は加熱調理器の操作・表示部の断面図、図４は加熱調理器の制御ブロック図、図５〜図１６は操作・表示部に表示される画面の例、図１８〜図２０は画面遷移図、図２１、図２２は制御フローチャートである。
【００２６】
図１において、本実施の形態の加熱調理器１００は、トッププレート１０１、トッププレート１０１に配された誘導加熱手段の加熱部１０２Ｌ、１０２Ｒ、電気抵抗発熱式加熱手段（ラジェントヒーター）の加熱部１０３、および表示部と操作部とを一体的に構成した操作・表示部１０４から構成される。
【００２７】
加熱部１０２Ｌ、１０２Ｒは、誘導加熱手段である。加熱部１０３は本実施の形態では電気抵抗発熱式加熱手段（ラジェントヒーター）として説明するが１０２同様誘導加熱手段であってもよい。加熱調理器１００内部には、加熱部１０２Ｌ、１０２Ｒに対応する誘導加熱手段を構成する加熱コイル（図示せず）と、加熱部１０３に対応する電気抵抗発熱式加熱手段であるラジェントヒーター（図示せず）が配されている。加熱コイルの電源回路である通電制御回路（図示せず）が加熱コイルの下方に配され、回路ユニット（図示せず）に対応した前方で操作回路ユニット下の位置にそれぞれ冷却ファン（図示せず）を配置し、その下方の加熱調理器１００底面には吸気口（図示せず）がある。また、加熱調理
器１００の側面には電源スイッチ１０５が配されている。
【００２８】
操作・表示部１０４は、加熱部１０２Ｌ、１０２Ｒ、１０３を制御する操作部と状態を確認する表示手段とが一体となったものである。図２、図３に示すように、表示手段２０６と操作部とを一体的に構成し一部にのみ透明電極を配置したタッチパネルであり、操作部は透明電極により電気的に指の接触を入力として検出する第一の入力手段２０１と、透明電極を配置しない領域への指の接触を検出する第二の入力手段２０２〜２０５とで構成される。なお、図２における第一の入力手段２０１は便宜的に透明電極を配置した領域をパターンで表しているが実際の電極は透明である。第一の入力手段２０１または第二の入力手段２０２〜２０５が配された領域に、加熱部の選択、加熱開始、停止の制御、加熱条件（火力、時間、温度等）の制御、調理メニューの選択などを行うための操作キーが表示され、使用者は操作キーを押下する（操作・表示部１０４に指で接触する）ことで各種制御をおこなうことができる。詳しくは後述する。
【００２９】
表示手段２０６は記憶部（図４、４０２）に記憶されている情報や加熱条件、加熱制御状態を表示する装置であり、ドットマトリクス液晶である。図５〜図１６はそれぞれ表示手段２０６に表示される設定画面や加熱制御状態の画面、異常通知画面の一例である。なお、本実施の形態では表示手段２０６に表示する情報として前述の画面情報を例にとって説明するが、表示手段２０６に表示できる情報は記憶部４０２に記憶されている情報であれば本実施の形態の範囲に限るものではない。例えば、取り扱い説明書のような使い方に関する情報なども表示できる。加熱部を自動制御して調理する調理メニュー機能を搭載し調理メニューのレシピを表示してもよい。また、加熱調理器１００に通信機能が備えられており、通信を介して他の機器から取得した情報を表示してもよい。また、表示方法についても本実施の形態で例示するデザインに限定されるものではない。
【００３０】
第一の入力手段２０１は、透明電極により電気的に指の接触を入力として検出する入力手段であり、本実施の形態では透明電極が配置された領域に指が触れた際の電気的容量の変化により指の接触座標位置を検出する静電容量方式により実現するものとし、第一の入力手段２０１は、ＩＴＯなどの透明電極と、静電容量の変化を検出し指の接触や接触位置、またジェスチャと呼ばれる動作などを判定するタッチパネルコントローラＩＣ（図示せず）から構成するものとする。座標位置が検出できる方式を使用することで表示手段２０６に表示するグラフィックの自由度を高めることができる。なお、静電容量方式にもいくつか方式があるが本実施の形態では特に方式を詳細に限定するものではない。また各種検出方式およびＩＣの機能に伴い透明電極の電極パターンも様々だが同様に限定しない。また、透明電極の材質についてもＩＴＯの他に導電性ポリマーやその他銀や銅を材料とした電極など様々あるが、同様に限定しない。また、本実施の形態では表示手段２０６に対し１／３程度の領域を第一の入力手段２０１として構成するが、第一の入力手段２０１の配置領域は本実施の形態の範囲に限るものではない。透明電極の配置領域は本実施の形態に示す領域より小さくても大きくてもよいし、縦方向に配置されていてもよい。ただし、透明電極に連なる引出電極を片側に寄せて配線する必要があるため、少なくとも３辺は表示手段２０６の外周に沿う形で配置されているものとする。
【００３１】
第二の入力手段２０２〜２０５は、透明電極を利用せずに指の接触を入力として検出する入力手段であり、本実施の形態では発光・受光素子間の光の遮断により物体を検出する透過型の光センサにより実現するものとし図２に示すように表示手段２０６の周囲の縦に３組（２０２〜２０４）、横に１組（２０５）発光・受光素子を配置する。このとき、隣の発光・受光素子との距離をあけて配置すると干渉による誤動作を防止することができる。また、第一の入力手段から離れた位置に第二の入力手段を配置することで、第一の入力手段を操作しようとした指を謝って検出することを防止できる。特に、操作・表示部が上面に備えられている場合は、第一の入力手段を操作・表示部の下部に第二の入力手段を上
部に配置すると第一の入力手段を操作する際の指の影響を受けずにすむ。
【００３２】
第二の入力手段２０２〜２０５はそれぞれ、２０２Ｓ〜２０５Ｓを赤外発光ダイオード（発光素子）、２０２Ｒ〜２０５Ｒをフォトトランジスタ（受光素子）として構成し、図３に示すようにトッププレート１０１の操作・表示部１０４をはめ込む領域に段差を設け、トッププレート１０１の内縁に第二の入力手段２０２〜２０５を埋め込む。これにより、透明電極が配置されていない領域であっても発光素子と受光素子の間を指が遮ることで指の接触を検出することができる。また、本実施の形態に示すように縦と横に網目状（マトリクス）に配置することにより縦横の交点から画面のどの位置が押下されたかを判断でき、本実施の形態では２０２と２０５の交点、２０３と２０５の交点、２０４と２０５の交点、の３か所の押下点を検出することができる。なお、発光部と受光部の数を増やせば検出点数を増やすことができる。
【００３３】
制御部４０１（図４）は、加熱部１０２Ｌ、１０２Ｒ、１０３および操作・表示部１０４の制御のほか、加熱調理器１００の制御機能を提供するもので、マイクロコンピュータなどで形成され、ＲＡＭ（Ｒａｎｄａｍ  Ａｃｃｅｓｓ  Ｍｅｍｏｒｙ）やＲＯＭ（Ｒｅａｄ  Ｏｎｌｙ  Ｍｅｍｏｒｙ）などのメモリである記憶部４０２（図４）に必要な設定情報を記憶し、加熱調理器１００を機能させている。
【００３４】
以上のように構成された加熱調理器について、以下その動作・作用を図５〜図１７の画面例ならびに図１８〜図２０の画面遷移図、図２１〜図２２の制御フローチャートを用いて説明する。
【００３５】
図１８は本発明の実施の形態１における操作・表示部の画面遷移図である。各加熱部それぞれに対し、画面状態を管理するものとする。図１８に示すように、表示手段２０６に表示される画面の状態は大きく加熱停止中と加熱中とがあり、さらに、Ａ：初期画面（加熱停止中）、Ｂ：基本操作画面（加熱中）、Ｃ：詳細設定画面（加熱停止中）、Ｄ：詳細設定画面（加熱中）、Ｅ：異常通知画面／異常詳細通知画面の５状態に分けることができる。加熱停止中の状態を二重線、加熱中の状態を太実線で示す。図１９、図２０はそれぞれ、図１８の「Ｃ：詳細設定画面（加熱停止中）」、「Ｄ：詳細設定画面（加熱中）」における画面遷移図である。なお、図１８〜図２０において共通の状態は共通の名称で記載する。また、図中のキー名称は画面の遷移条件となるキーの名称であり、名称前の数字番号（（１）または（２））はそれぞれのキーの操作が、第一の入力手段、第二の入力手段いずれの手段により操作されるものであるかを示す。両番号共記載のある場合はどちらの入力手段から操作された場合でも同様の遷移を行うことを示している。また、図中の太実線矢印は加熱制御状態の変化に関わる操作を示している。図１８〜図２０に示すように、加熱停止中の状態から加熱を開始する条件、加熱中の状態から加熱を停止する条件、加熱中の加熱条件の変化、は全て第一の入力手段によってのみ制御される。第一の入力手段は電圧や電流、その他電気現象を用い、電気的に指の接触を検出するものであり、非電気的に検出する第二の入力手段に比べて環境の影響が少なくまた位置検出の精度も高い。そのため、調理の成否に影響する加熱条件の制御を誤検出の少ない第一の入力手段に限定することにより、第二の入力手段がゴミや水で意図せず誤動作しても調理中の加熱条件が変更され調理失敗を招くことを防止できる。
【００３６】
図２１は本発明の実施の形態１における入力検出処理の制御フローチャートである。
【００３７】
制御部４０１は、第一の入力手段２０１からの入力信号を検出すると（Ｓ２１０１でＹＥＳ、Ｓ２１０５でＹＥＳまたはＳ２１０１でＮＯ、Ｓ２１０２でＹＥＳ）、入力信号を元に押下された操作キーを判定する。入力信号に含まれる座標位置を表示手段２０６の操作キー表示位置に照らし合わせてどの操作キーが押下されたかを判定し、操作キーが押下
されている場合は押下されたキーに対応する入力制御処理を行う（Ｓ２１０３でＹＥＳ、Ｓ２１０５）。座標位置が操作キーの表示位置以外の場合は入力信号を破棄する。なお、入力信号に含まれる情報はタッチパネルコントローラＩＣに依存するため、少なくとも座標位置を含むこと以上は限定しない。また、本実施の形態では操作キーの押下のみを判定しているが、ジェスチャ操作などを判定してもよい。
【００３８】
制御部４０１は、第二の入力手段２０２〜２０５からの入力信号を検出すると第一の入力手段２０１からの入力信号を検出しているかどうか判定する（Ｓ２１０１でＹＥＳ、Ｓ２１０５）。これは、誤検出の少ない第一の入力手段の入力を優先させ誤動作を軽減させるためである。第一の入力手段からの入力信号を検出している場合は（Ｓ２１０５でＹＥＳ）第一の入力手段からの入力に基づいて処理する。一方、第一の入力手段からの入力を検出していない場合は、第二の入力手段のどのセンサが入力を検出しているのか押下位置を判定する（Ｓ２１０６）。
【００３９】
図２２は本発明の実施の形態１における第二の入力手段の押下位置判定処理の制御フローチャートである。
【００４０】
本実施の形態では第二の入力手段２０２〜２０４と第二の入力手段２０５との交点に対して１つずつ操作キーを配置する。そのため押下位置が検出できればどの操作キーが押下されたか判定することができる。
【００４１】
制御部４０１は、第二の入力手段２０２〜２０４のいずれかと第二の入力手段２０５の交点が押下されているかどうかを判定する（Ｓ２２０１〜Ｓ２２０４）。交点が押下されていない場合（一方の入力手段のみから信号検出している場合）は入力信号を破棄する。交点が押下されている場合は（Ｓ２２０４でＹＥＳ）、表示手段２０６の操作キー表示位置に照らし合わせてどの操作キーが押下されたかを判定し、押下されたキーに対応する入力制御処理を行う（Ｓ２２０５）。
【００４２】
以下、詳しく説明する。なお、本実施の形態では使用者が加熱部１０２Ｌ（左ＩＨ）を操作するものとして説明する。
【００４３】
制御部４０１は、電源スイッチ１０５により電源をＯＮにされると操作・表示部１０４を駆動する。具体的には、表示手段２０６に初期画面の表示を指示し、第一の入力手段２０１および第二の入力手段２０２〜２０５からの入力検出を待つ（図２１、Ｓ２１０２、Ｓ２１０５）。図５は表示手段２０６に表示される初期画面の例である。電源投入直後は加熱部１０２Ｌ、１０２Ｒ、１０３いずれも稼働していないため、初期画面では加熱部は稼働停止である旨を表示する。なお、本実施の形態では各加熱部に対し「停止」と表示するが表示する内容はこれに限るものではない。例えば、記号で表示してもよいし、画面の色を変化させてもよい。ここで、第一の入力手段２０１が配された領域には、各加熱部の調理メニューを選択するメニュー選択キー５０１〜５０３を大きく表示し、その他の操作キーは表示していない。このように、第一の入力手段２０１に座標位置が検出できる方式を使用することで表示手段２０６に表示する操作キーのグラフィックの自由度を高めることができ、必要な操作キーのみを表示したり、わかりやすいように大きく表示したりすることで使用者へわかりやすい操作キーを提供することができる。一方、第二の入力手段２０２〜２０５が配された領域にはそれぞれ、左ＩＨ選択キー５０３、後ろＩＨ選択キー５０５、右ＩＨ選択キー５０６を表示する。
【００４４】
図１８「Ａ：初期画面」の状態において、使用者が加熱部１０２Ｌ（左ＩＨ）を操作するために第一の入力手段２０１のメニュー選択キー５０１を押下すると、制御部４０１は第一の入力手段２０１からの入力信号を受け取り、座標からメニュー選択キー５０１が押
下されたことを検出する（図２１、Ｓ２１０１でＮＯ、Ｓ２１０２でＹＥＳ、Ｓ２１０３でＹＥＳ）。制御部４０１は表示手段２０６に左ＩＨの詳細設定画面（メニュー設定画面）の表示を指示する。画面状態は図１８「Ｃ：詳細設定画面（加熱停止中）」の中の図１９「Ｃ１：メニュー設定画面（加熱停止中）」に遷移する。なお、本実施の形態ではキー操作後の操作・表示部１０４に関わる入力制御処理をのみを説明するが、制御部４０１ではそのほかにも入力制御処理をおこなっているものとする。
【００４５】
図６は、左ＩＨのメニュー設定画面の例であり、メニュー設定画面において使用者によりメニューキーの加熱キー６０２が押下された状態を示している。この時点では加熱部１０２Ｌは稼働していないため、第一の入力手段２０１が配された領域には、加熱を開始する加熱スタートキー６０１と各種メニューキー６０２〜６０７を表示する。一方、第二の入力手段２０２〜２０５が配された領域にはそれぞれ、加熱時間に自動設定操作のためのタイマー設定キー６０８、加熱火力の設定操作のための火力設定キー６０９、全ての加熱部の制御状態を確認するための全ＩＨ表示キー６１０を表示する。なお、第二の入力手段２０２〜２０５に表示するキーは必ずしも前記機能を備え前記表示順でなければならないわけではない。
【００４６】
制御部４０１は、第一の入力手段２０１からの入力信号を受け取り、座標から加熱キー６０２が押下されたことを検出すると（図２１、Ｓ２１０１でＮＯ、Ｓ２１０２でＹＥＳ、Ｓ２１０３でＹＥＳ）、表示手段２０６に押下されたキーの表示形状の変更を指示し、また第一の入力手段２０１が配されない領域に選択されたメニューの説明を表示するよう指示する。画面状態は図１９「Ｃ１：メニュー設定画面（加熱停止中）」のままである。なお、他のメニューキーが押下された場合も同様である。これにより使用者は自分がどのメニューを選択しているか把握することができ、また各メニューの説明が表示されることで目的・用途に合わせてより便利にメニューを選択することができる。
【００４７】
次に、使用者によりメニューキー６０２〜６０７以外のキーが押下された場合について説明する。
【００４８】
加熱スタートキー６０１が押下されると、制御部４０１は第一の入力手段２０１からの入力信号を受け取り、座標から加熱スタートキー６０１が押下されたことを検出し（図２１、Ｓ２１０１でＮＯ、Ｓ２１０２でＹＥＳ、Ｓ２１０３でＹＥＳ）、デフォルト設定されている火力または温度で加熱を開始するよう加熱部１０２Ｌに指示する。制御部４０１は表示手段２０６に基本操作画面の表示を指示する。画面状態は図１９「Ｃ１：メニュー設定画面（加熱停止中）」から図１９「Ｂ：基本操作画面（加熱中）」に遷移する。図７は、図６の状態で使用者により加熱スタートキー６０１が押下された後の基本操作画面の例である。加熱部１０２Ｒ、１０３は稼働していないため右ＩＨ、後ろＩＨに関する表示は変化がないが、加熱部１０２Ｌは加熱を開始したため、「加熱」メニューと「火力（数値）」を表示している。また、第一の入力手段２０１が配された領域には、左ＩＨ用の加熱切キー７０１と火力調整キー７０２、７０３を表示している。後ろＩＨ、右ＩＨが稼働中の場合は同様に後ろＩＨ用、右ＩＨ用の加熱切キー７０１と火力調整キー７０２、７０３が表示される。このように、複数の加熱部の制御状態が確認できる状態で各加熱部の操作を可能とすることで、加熱部それぞれの操作部、表示部の操作・確認の煩わしさや操作のために画面を切り替える煩わしさを解消することができる。なお、加熱開始後の加熱部の操作キーとして少なくとも加熱切キーと火力調整キーの表示は必要だが、その他の操作キーを表示してもよい。
【００４９】
火力設定キー６０９が押下されると、制御部４０１は第二の入力手段２０３と２０５からの入力信号を受け取り、火力設定キー６０９が押下されたことを検出し（図２１、Ｓ２１０１でＮＯ、Ｓ２１０２でＹＥＳ、Ｓ２１０３でＹＥＳ）、表示手段２０６に左ＩＨの
詳細設定画面（火力設定画面）の表示を指示する。ここでは画面状態は図１９「Ｃ１：メニュー設定画面（加熱停止中）」から図１９「Ｃ２：火力設定画面（加熱停止中）」に遷移する。図８は、図６の状態で使用者により火力設定キー６０９が押下された後の詳細設定画面の例である。この時点では加熱部１０２Ｌは稼働していないため、第一の入力手段２０１が配された領域には、加熱を開始する加熱スタートキー６０１と火力調整キー７０２、７０３、タイマー設定キー６０８、メニュー選択キー５０１を表示する。なお、火力調整キーは本実施の形態の表現に限るものではなく例えば、＋と−の記号、上下の記号などであってもよい。また、既出のキーで同様の機能のキーについては同じ番号を付与し説明を省略する。また、第二の入力手段２０２〜２０５のうち、２０４および２０５が配された領域に、全ＩＨ表示キー６１０を表示する。このとき、第二の入力手段のうち使用しない２０２および２０３からの入力については破棄する。そのため、発光素子からの発光を停止してもよい。これにより消費電力を削減することができる。また第一の入力手段２０１が配されない領域に選択されているメニュー（ここでは加熱メニュー）と、現在の火力を表示する。また、タイマーが設定されている場合は設定されたタイマー時刻を表示する。使用者は火力調整キー７０２および７０３を操作することで加熱部１０２Ｌの火力を調整することができる。ここで、使用者により加熱スタートキー６０１が押下されると、制御部４０１は第一の入力手段２０１からの入力信号を受け取り、座標から加熱スタートキー６０１が押下されたことを検出し（図２１、Ｓ２１０１でＮＯ、Ｓ２１０２でＹＥＳ、Ｓ２１０３でＹＥＳ）、設定されている火力で加熱を開始するよう加熱部１０２Ｌに指示する。なお、タイマーが設定されている場合は、設定された火力で設定された時間加熱するよう指示する。また、制御部４０１は表示手段２０６に基本操作画面の表示を指示する（図７同）。画面状態は図１９「Ｃ２：火力設定画面（加熱停止中）」から図１９「Ｂ：基本操作画面（加熱中）」に遷移する。なお、タイマー設定キー６０８が押下された場合の処理については後述する。また、メニュー選択キー５０１が押下された場合は、画面状態は図１９「Ｃ２：火力設定画面（加熱停止中）」から図１９「Ｃ１：メニュー設定画面（加熱停止中）」に遷移する。表示される詳細設定画面（メニュー設定画面）は図６と同様のため説明を省略する。なお、メニュー選択キー５０１が押下される前に設定した火力やタイマーは設定を解除されるものとする。
【００５０】
タイマー設定キー６０８が押下されると、制御部４０１は第二の入力手段２０２と２０５からの入力信号を受け取り、タイマー設定キー６０８が押下されたことを検出し（図２１、Ｓ２１０１でＮＯ、Ｓ２１０２でＹＥＳ、Ｓ２１０３でＹＥＳ）、表示手段２０６に左ＩＨの詳細設定画面（タイマー設定画面）の表示を指示する。ここでは画面状態は図１９「Ｃ１：メニュー設定画面（加熱停止中）」から図１９「Ｃ３：タイマー設定画面（加熱停止中）」に遷移する。図９は、図６の状態で使用者によりタイマー設定キー６０８が押下された後の詳細設定画面の例である。この時点では加熱部１０２Ｌは稼働していないため、第一の入力手段２０１が配された領域には、加熱を開始する加熱スタートキー６０１と時間設定キー９０１、９０２、火力設定キー６０９、メニュー選択キー５０１を表示する。なお、時間設定キーは本実施の形態の表現に限るものではなく例えば、＋と−の記号、左右の記号、上下の記号などであってもよい。第二の入力手段については火力設定キー６０８押下時と同様のため説明を省略する。また第一の入力手段２０１が配されない領域に選択されているメニュー（ここでは加熱メニュー）と、現在の火力を表示する。火力が設定されていない場合は、デフォルト設定の火力を表示する。使用者は時間設定キー９０１および９０２を操作することで加熱部１０２Ｌの火力を調整することができる。なお、設定したタイマーを取り消したい場合は、０時間００分に設定してもよいし、別途タイマー設定取り消しキー１００１を表示するようにしてもよい（図１０）。ここで、使用者により加熱スタートキー６０１が押下されると、制御部４０１は第一の入力手段２０１からの入力信号を受け取り、座標から加熱スタートキー６０１が押下されたことを検出し（図２１、Ｓ２１０１でＮＯ、Ｓ２１０２でＹＥＳ、Ｓ２１０３でＹＥＳ）、設定されたタイマーを記憶部４０２に記憶し、設定されている火力で加熱を開始するよう加熱部１０２
Ｌに指示する。また、制御部４０１は表示手段２０６に基本操作画面の表示を指示する（図１１）。画面状態は図１９「Ｃ３：タイマー設定画面（加熱停止中）」から図１９「Ｂ：基本操作画面（加熱中）」に遷移する。図１１の基本操作画面の例は、図７に対して左ＩＨの加熱メニューと火力の他に設定されたタイマー時間を表示している以外は同様のため説明を省略する。なお、火力設定キー６０９およびメニュー選択キー５０１が押下された場合の処理については前述のため説明を省略する。
【００５１】
全ＩＨ表示キー６１０が押下されると、制御部４０１は第二の入力手段２０４と２０５からの入力信号を受け取り、全ＩＨ表示キー５０１が押下されたことを検出し（図２１、Ｓ２１０１でＹＥＳ、Ｓ２１０５でＮＯ、Ｓ２１０６。図２２、Ｓ２２０１でＮＯ，Ｓ２２０２でＮＯ、Ｓ２２０３でＹＥＳ、Ｓ２２０４でＹＥＳ）、表示手段２０６に基本操作画面の表示を指示する。加熱部１０２Ｌ、１０２Ｒ、１０３いずれも稼働していないため、初期画面と同様の画面（図５）を表示する。画面状態は図１９「Ｃ１：メニュー設定画面（加熱停止中）」から図１８「Ａ：初期画面（加熱停止中）」に遷移する。画面状態が図１９「Ｃ２：火力設定画面（加熱停止中）」、「Ｃ３：タイマー設定画面（加熱停止中）」の場合に  全ＩＨ表示キー６１０が押下された場合も同様の処理である。
【００５２】
一方、図１８「Ａ：初期画面」の状態において、使用者が左ＩＨ選択キー５０３を押下した場合、制御部４０１は第二の入力手段２０２と２０５からの入力信号を受け取り、左ＩＨ選択キー５０３が押下されたことを検出する（図２１、Ｓ２１０１でＹＥＳ、Ｓ２１０５でＮＯ、Ｓ２１０６。図２２、Ｓ２２０１でＹＥＳ，Ｓ２２０４でＹＥＳ）。制御部４０１は表示手段２０６に左ＩＨの詳細設定画面（火力設定画面）の表示を指示する。画面表示は図８と同様であり、メニューはデフォルトメニューの加熱を設定されている状態とする。画面状態は図１８「Ｃ：詳細設定画面（加熱停止中）」の中の図１９「Ｃ２：火力設定画面（加熱停止中）」に遷移する。「Ｃ２：火力設定画面（加熱停止中）」の処理については既出のため説明を省略する。
【００５３】
以上により、加熱停止中の状態から加熱を開始するまでの操作を説明した。次に加熱中の操作について説明する。
【００５４】
図１８「Ｂ：基本操作画面（加熱中）」の状態において、使用者が加熱部１０２Ｌ（左ＩＨ）の加熱を停止するために第一の入力手段２０１の加熱切キー７０１を押下すると、制御部４０１は第一の入力手段２０１からの入力信号を受け取り、座標から加熱切キー７０１が押下されたことを検出する（図２１、Ｓ２１０１でＮＯ、Ｓ２１０２でＹＥＳ、Ｓ２１０３でＹＥＳ）。制御部４０１は加熱を停止するよう加熱部１０２Ｌに指示する。制御部４０１は表示手段２０６に初期画面（図５）の表示を指示する。画面状態は図１８「Ｂ：基本操作画面（加熱中）」から「Ａ：初期画面（加熱停止中）」に遷移する。なお、本実施の形態では左ＩＨのみしか稼働していないため図５に示す全てのＩＨが停止している初期画面を表示するが、他の加熱部が稼働中の場合は加熱を停止したＩＨのみが初期画面に戻る。
【００５５】
一方、使用者が加熱部１０２Ｌ（左ＩＨ）の火力を調整するために第一の入力手段２０１の火力調整キー７０２および７０３を押下すると、制御部４０１は第一の入力手段２０１からの入力信号を受け取り、座標から火力調整キー７０２または７０３が押下されたことを検出する（図２１、Ｓ２１０１でＮＯ、Ｓ２１０２でＹＥＳ、Ｓ２１０３でＹＥＳ）。制御部４０１は火力を上げるまたは下げるよう加熱部１０２Ｌに指示する。画面状態は図１８「Ｂ：基本操作画面（加熱中）」のまま変化はない。
【００５６】
加熱部１０２Ｌ（左ＩＨ）のタイマー設定を変更したい場合、またはタイマーを新たに設定したい場合は、左ＩＨ選択キー５０４を押下し、詳細設定画面に切り替える。使用者
が左ＩＨ選択キー５０３を押下した場合、制御部４０１は第二の入力手段２０２と２０５からの入力信号を受け取り、左ＩＨ選択キー５０３が押下されたことを検出する（図２１、Ｓ２１０１でＹＥＳ、Ｓ２１０５でＮＯ、Ｓ２１０６。図２２、Ｓ２２０１でＹＥＳ，Ｓ２２０４でＹＥＳ）。制御部４０１は表示手段２０６に左ＩＨの詳細設定画面（タイマー設定画面）の表示を指示する。ここでは画面状態は図１９「Ｂ：基本操作画面（加熱中）」から図１８「Ｄ：詳細設定画面（加熱中）」の中の図２０「Ｄ３：タイマー設定画面（加熱中）」に遷移する。図１２は、図１１の状態で使用者により左ＩＨ選択キー５０３が押下された後の詳細設定画面の例である。加熱部１０２Ｌは加熱中のため、第一の入力手段２０１が配された領域には、左ＩＨ用の加熱切キー７０１と時間設定キー９０１、９０２、タイマー設定取り消しキー１００１、火力設定キー６０９を表示する。
【００５７】
時間設定キー９０１、９０２の操作は既出のため説明を省略する。
【００５８】
ここで、使用者により加熱切キー７０１が押下されると、制御部４０１は第一の入力手段２０１からの入力信号を受け取り、座標から加熱切キー７０１が押下されたことを検出する（図２１、Ｓ２１０１でＮＯ、Ｓ２１０２でＹＥＳ、Ｓ２１０３でＹＥＳ）。制御部４０１は加熱を停止するよう加熱部１０２Ｌに指示する。制御部４０１は表示手段２０６に初期作画面（図５）の表示を指示する。画面状態は図２０「Ｄ３：タイマー設定画面（加熱中）」から図１８「Ａ：初期画面（加熱停止中）」に遷移する。
【００５９】
使用者によりタイマー設定取り消しキー１００１が押下されると、制御部４０１は第一の入力手段２０１からの入力信号を受け取り、座標からタイマー設定取り消しキー１００１が押下されたことを検出する（図２１、Ｓ２１０１でＮＯ、Ｓ２１０２でＹＥＳ、Ｓ２１０３でＹＥＳ）。制御部４０１は記憶部４０２に記憶しているタイマー時間を削除する。加熱は停止しない。画面状態は図２０「Ｄ３：タイマー設定画面（加熱中）」のまま変化はない。
【００６０】
全ＩＨ表示キー６１０が押下されると、制御部４０１は第二の入力手段２０４と２０５からの入力信号を受け取り、全ＩＨ表示キー５０１が押下されたことを検出し（図２１、Ｓ２１０１でＹＥＳ、Ｓ２１０５でＮＯ、Ｓ２１０６。図２２、Ｓ２２０１でＮＯ，Ｓ２２０２でＮＯ、Ｓ２２０３でＹＥＳ、Ｓ２２０４でＹＥＳ）、表示手段２０６に基本操作画面の表示を指示する。画面状態は図２０「Ｄ３：タイマー設定画面（加熱中）」から「Ｂ：基本操作画面（加熱中）」に遷移する。
【００６１】
一方、火力設定キー６０９が押下されると、制御部４０１は第一の入力手段２０１からの入力信号を受け取り、座標から火力設定キー６０９が押下されたことを検出する（図２１、Ｓ２１０１でＮＯ、Ｓ２１０２でＹＥＳ、Ｓ２１０３でＹＥＳ）。制御部４０１は表示手段２０６に左ＩＨの詳細設定画面（火力設定画面）の表示を指示する。ここでは画面状態は図２０「Ｄ３：タイマー設定画面（加熱中）」から図２０「Ｄ２：火力設定画面（加熱中）」に遷移する。図１３は、図１２の状態で使用者により火力設定キー６０９が押下された後の詳細設定画面の例である。加熱部１０２Ｌは加熱中のため、第一の入力手段２０１が配された領域には、左ＩＨ用の加熱切キー７０１と火力調整キー７０２、７０３、タイマー設定キー６０８を表示する。火力調整キー７０２、７０３の操作は既出のため説明を省略する。また、加熱切キー７０１と全ＩＨ表示キー６１０はタイマー設定画面と同様のため説明を省略する。
【００６２】
タイマー設定キー６０８が押下されると、制御部４０１は第一の入力手段２０１からの入力信号を受け取り、座標からタイマー設定キー６０８が押下されたことを検出する（図２１、Ｓ２１０１でＮＯ、Ｓ２１０２でＹＥＳ、Ｓ２１０３でＹＥＳ）。制御部４０１は表示手段２０６に左ＩＨの詳細設定画面（タイマー設定画面）の表示を指示する（図１２
）。画面状態は図２０「Ｄ２：火力設定画面（加熱中）」から図２０「Ｄ３：タイマー設定画面（加熱中）」に遷移するタイマー設定画面の説明は既出のため説明を省略する。
【００６３】
以上により、加熱中の加熱条件の変更操作、加熱中の状態から加熱を停止するまでの操作を説明した。なお、加熱中に加熱メニューを変更したい場合は、一度加熱を停止してから再度メニュー選択を行うものとする。
【００６４】
以上のように、電気的に指の接触を検出するための透明電極を配置する領域を制限（少なく）することで、透明電極の使用量削減によるコスト低減と、電極数抑制によるタッチパネルコントローラＩＣのコスト低減が実現でき、タッチ操作を安価に実現でき、操作性を向上させることができる。また、電気的に指の接触を検出するための透明電極配置領域を制限する代わりに透明電極を配置しない領域には必要な分解能に応じた数の光センサなどを用いることで全面タッチパネルではないにも関わらずあたかも全面タッチパネルのような印象を与えることが可能なタッチインタフェースを実現でき、タッチパネルの操作性・品位を損なわず従来のインタフェースの操作・確認の煩わしさなどを改善することができる。特に、センサの操作用途を加熱制御以外の操作に限定することで、ゴミや水などに反応し使用者の意図しない操作により、調理中の加熱条件が変更され過加熱や加熱不足などにより調理が失敗したり、使用者の意図しないタイミングで加熱調理が開始・停止されるような心配もなく安全である。
【００６５】
なお、本実施の形態では１つの加熱部の加熱の開始・停止についてのみ説明したが、同時に複数の加熱部を制御することが可能である。本実施の形態に記載の内容を各加熱部それぞれに対して組み合わせることで同時に制御することが可能である。図１４は左ＩＨ、右ＩＨは稼働、後ろＩＨが非稼働の状態の基本操作画面の例である。
【００６６】
また、本実施の形態では、加熱部の加熱停止中は第一の入力手段２０１が配された領域には、各加熱部の調理メニューを選択するメニュー選択キー５０１〜５０３を表示するとして説明したが、さらに、加熱スタートキー６０１、１６０１、１６０２を表示してもよい（図１５）。加熱スタートキー６０１が押下されると、制御部４０１は第一の入力手段２０１からの入力信号を受け取り、座標から加熱スタートキー６０１が押下されたことを検出し（図２１、Ｓ２１０１でＮＯ、Ｓ２１０２でＹＥＳ、Ｓ２１０３でＹＥＳ）、デフォルト設定されている火力または温度で加熱を開始するよう加熱部１０２Ｌに指示する。加熱スタートキー６０１押下時の処理は既出のため説明を省略する。これにより、使用者はより早く簡単に加熱を開始することができる。特にデフォルト設定を使用者によりカスタマイズ可能とした場合、使用者は使い慣れた加熱条件をデフォルト設定しておくことにより、より使い勝手よく便利に操作することができる。
【００６７】
なお、図２１の制御フローに示すように、本実施の形態における入力検出処理では第一の入力手段の入力信号を検出した場合は第二の入力手段の入力信号を評価しない。これにより、誤検出の少ない第一の入力手段の入力を優先させることで、第二の入力手段がゴミや水で意図せず入力を検出してしまっても使用者の意図しない操作が行われる可能性を低減することができる。例えば、図８に示す火力設定画面において使用者が加熱スタートキー６０１を押下した瞬間に被加熱物がたまたま飛び散り第二の入力手段の全ＩＨキーの上に載ってしまった場合、第一の入力手段からの入力のみを検出するため、第二の入力手段が全ＩＨキーの入力を検出しても無視される。また、より意図しない操作を低減させるために、第二の入力手段からの入力信号を検出しかつ第一の入力手段からの入力信号を検出している場合（Ｓ２１０１でＳ２１０５でＹＥＳ）、表示手段２０６に操作・表示部１０４の清掃を促す表示をさせてもよい。２つの入力手段から同時に入力信号を検出する場合は一方は誤動作している可能性があり、特にゴミや水などにより第二の入力手段が誤反応している可能性が高い。使用者が操作・表示部１０４の清掃を行うことで誤動作が発生す
る環境を改善でき操作性を向上できる。なお、表示ではなく音声で通知するようにしてもよい。
【００６８】
図１６は本実施の形態における異常通知画面の一例である。Ｕ１３：空焼き自動ＯＦＦのエラーを例にとり説明する。制御部４０１は異常を検知すると、異常の種類に応じて加熱制御の停止などを加熱部１０２Ｌに指示すると同時に表示手段２０６に左ＩＨの異常通知画面の表示を指示する。ここでは画面状態は図１８「Ｂ：基本操作画面（加熱中）」から「Ｅ１：異常通知画面（加熱停止中）」に遷移する。第一の入力手段２０１が配された領域には、左ＩＨ用のエラー詳細表示キー１６０１を表示する。加熱部１０２Ｒ、１０３は稼働していないため右ＩＨ、後ろＩＨに関する表示は変化がない。本実施の形態ではまた第一の入力手段２０１が配されない領域にエラー通知記号「Ｕ１３」を大きく表示し画面の色を反転させて通常の表示とわかりやすく区別がつくように表示しているが、他の表記方法であってもよい。例えば、エラー通知記号ではなくエラーの内容についての説明を表示してもよい。また、画面を点滅させるなどしてもよい。エラー詳細表示キー１６０１が押下されると、制御部４０１は第一の入力手段２０１からの入力信号を受け取り、座標からエラー詳細表示キー１６０１が押下されたことを検出し（図２１、Ｓ２１０１でＮＯ、Ｓ２１０２でＹＥＳ、Ｓ２１０３でＹＥＳ）、表示手段２０６に左ＩＨの異常詳細通知画面の表示を指示する。画面状態は図１８「Ｅ１：異常通知画面（加熱停止中）」から「Ｅ２：異常詳細通知画面（加熱停止中）」に遷移する。図１７は異常詳細通知画面の例である。第一の入力手段２０１が配されない領域にエラーの詳細、原因解析に必要な情報を表示している。なお、１画面で情報が表示できない場合は複数画面に分けて表示し、ページ送り用の操作キーを第一の入力手段または第二の入力手段が配される領域に表示してもよい。また、第一の入力手段２０１が配された領域には、左ＩＨ用の火力設定キー６０９、タイマー設定キー６０８、メニュー選択キー５０１を表示する。各キーの説明については既出のため説明を省略する。再度加熱設定を行い加熱部１０２Ｌの加熱を開始すると、制御部４０１は表示手段２０６に基本操作画面の表示を指示する。画面状態は図１８「Ｅ２：異常詳細通知画面（加熱停止中）」から図１９「Ｂ：基本操作画面（加熱中）」に遷移し、異常状態を解除する。
【００６９】
なお、図１８「Ｄ：詳細設定画面（加熱中）」の状態で異常を検知した場合は、画面状態は図１８「Ｅ２：異常詳細通知画面（加熱停止中）」に遷移する。また、図１８「Ｅ１：異常通知画面（加熱停止中）」の状態で原因を取り除くことができる異常の場合は、原因を取り除くと自動的に再加熱し、画面状態は図１８「Ｂ：基本操作画面（加熱中）」に遷移する。なお、異常の情報表示を消したい場合は、第一の入力手段が配された領域に異常表示解除キー（図示せず）を表示し、異常通知を解除してもよい。
【００７０】
なお、本実施の形態では第一の入力手段は静電容量方式により指の接触座標位置を検出するとして説明したが、他の方式であってもよい。たとえば、抵抗膜方式であれば本方式同様に指の接触座標位置を検出できかつ本方式よりもより安価に第一の入力手段を構成できる。また、指の接触座標位置（ＸＹ座標）のうち一方向の位置のみ（たとえばＸ座標のみ）検出できればよいのであれば、接触のみを検出する静電タッチスイッチ用の電極パターンを並列に並べて一方向のみの位置検出を行う構成も可能である。この場合、さらに電極数を削減できるためタッチパネルコントローラＩＣのコストが安価にでき、また周辺の機構構成も簡単になるためさらにコスト低減が見込まれる。
【００７１】
なお、本実施の形態では２０２〜２０４を全て同方向に向けて発光させているが、発光方向は異なっていてもよい。たとえば、２０３の発光素子と受光素子との配置を入れ替えた場合、発光素子２０２Ｓや２０４Ｓから発光される光の影響を受光素子２０３Ｒが受けにくくなる。また、各発光・受光素子の配置数、配置間隔は本実施の形態の範囲に限るものではない。表示手段２０６に表示する操作キーの数やデザインに応じて自由に配置して
よい。なお、発光素子２０４Ｓから発光される光の影響を受光素子２０５Ｒが受ける場合、２０２または２０３のいずれかが指の接触を検出した場合に限り発光素子２０４Ｓからの発光を停止し、発光素子２０５Ｓから発光される光の検出を判定してもよい。これにより、より誤検出の可能性を低減させることができる。
【００７２】
また、２０２〜２０４いずれかの発光・受光素子により入力を検出し、２０５では入力を検出していない場合（図２２、Ｓ２２０４でＮＯ）、ゴミや水などに反応している可能性が高い。このような場合、表示手段２０６に操作・表示部１０４の清掃を促す表示をさせてもよい。これにより、使用者が操作・表示部１０４の清掃を行うことで誤動作が発生する環境を改善でき操作性を向上できる。なお、表示ではなく音声で通知するようにしてもよい。
【００７３】
（実施の形態２）
次に、本発明における第２の実施の形態について説明する。
【００７４】
本実施の形態と第１の実施の形態の異なる点は、制御部は、第二の入力手段から一定時間の間連続して入力を検出した場合、第二の入力手段からの入力を無効とするように構成した点にある。第二の入力手段からの入力を受け付け後、同一の発光・受光素子からの連続入力時間を計測し一定時間連続して入力を検出すると、以降一時的に第二の入力手段からの入力を受け付けない入力受付禁止状態に遷移する。これは、一定時間以上連続して同一の発光・受光素子からの入力信号を検出している場合は、入力が使用者の指による入力ではなくゴミや水などに誤反応して発生している可能性が高いためである。第二の入力手段からの入力を無効とすることにより、使用者の意図しない操作が行われる可能性を低減することができる。なお、入力受付禁止状態は所定時間を経過すると解除され、入力受付禁止中も第一の入力手段からの入力は受け付ける。また、他の発光・受光素子からの入力信号および第一の入力手段からの入力信号を検出した場合は、連続入力時間をリセットする。
【００７５】
実施の形態２における加熱調理器の概略構成図および制御ブロック図は実施の形態１と同様である。以下その動作・作用を図２３、図２４の制御フローチャートを使用して説明する。なお、図２１、２２と同様の処理については同番号を付与する。
【００７６】
制御部４０１は、第二の入力手段２０２〜２０５からの入力信号を検出すると（Ｓ２１０１でＹＥＳ）、第二の入力手段からの入力受付禁止中でないかどうかを判定する（Ｓ２３０１）。記憶部４０２にて管理される入力受付禁止フラグを確認し、フラグがセットされていない場合は（Ｓ２３０１でＮＯ）、第一の入力手段２０１からの入力信号を検出しているかどうか判定する（Ｓ２１０５）。第一の入力手段からの入力の入力手段からの入力を検出していない場合は、第二の入力手段のどのセンサが入力を検出しているのか押下位置を判定する（Ｓ２１０６）。
【００７７】
制御部４０１は、第二の入力手段２０２〜２０４のいずれかと第二の入力手段２０５の交点が押下されているかどうかを判定する（Ｓ２２０１〜Ｓ２２０４）。交点が押下されていない場合（一方の入力手段のみから信号検出している場合）は入力信号を破棄する。交点が押下されている場合は（Ｓ２２０４でＹＥＳ）、発光・受光素子の組が直前の入力操作の入力手段と同一かどうかを判定する（Ｓ２４０１）。なお、直前の入力操作の入力手段が第一の入力手段であった場合は何も登録されていないものとする。記憶部４０２に登録されている直前の入力操作の入力手段を確認し、異なる場合または何も登録されていない場合は、記憶部４０２の入力手段として該当の発光・受光素子の組の番号を登録する。また、連続入力時間の計測を開始する（Ｓ２４０２）。そして、交点を表示手段２０６の操作キー表示位置に照らし合わせてどの操作キーが押下されたかを判定し、押下された
キーに対応する入力制御処理を行う（Ｓ２２０５）。一方、直前の入力操作の入力手段が同一の発光・受光素子の組の場合、連続入力時間が所定時間を経過しているか、つまり、一定時間連続して同じ発光・受光素子の組から入力を検出しているかを判定する（Ｓ２４０１でＹＥＳ、Ｓ２４０３）。所定時間を経過していない場合は、入力制御処理を行う（Ｓ２４０３でＮＯ、Ｓ２２０５）。所定時間を経過している場合は、第二の入力手段からの入力を受け付けない入力受付禁止状態に遷移する（Ｓ２４０３でＹＥＳ）。記憶部４０２に登録している入力手段の発光・受光素子の組の番号を削除し、連続入力時間をリセットする（Ｓ２４０４）。そして、記憶部４０２にて管理している入力受付禁止フラグをセットする（Ｓ２４０５）。
【００７８】
一方、第二の入力手段からの入力受付禁止中ではない状態で第二の入力手段２０２〜２０５からの入力信号と第一の入力手段２０１からの入力信号を検出している場合（Ｓ２１０１でＹＥＳ、Ｓ２３０１でＮＯ、Ｓ２１０５でＹＥＳ）、入力手段と連続入力時間をリセットし、第一の入力手段２０１からの入力信号を受け付ける（Ｓ２１０３、Ｓ２３０４、Ｓ２１０４）。
【００７９】
第二の入力手段２０２〜２０５からの入力信号を検出したが第二の入力手段からの入力受付禁止中の場合は（Ｓ２１０１でＹＥＳ、Ｓ２３０１でＹＥＳ）、入力受付禁止状態が所定時間を満了しているかどうかを判定する（Ｓ２３０２）。所定時間満了していない場合は（Ｓ２３０２でＮＯ）入力を破棄する。所定時間を満了している場合は（Ｓ２３０２でＹＥＳ）、記憶部４０２にて管理している入力受付禁止フラグをリセットし、第一の入力手段２０１からの入力信号を検出しているかどうか判定する（Ｓ２１０５）。以降の処理は既出のため説明を省略する。
【００８０】
また、第一の入力手段２０１からの入力信号のみを検出している場合は（Ｓ２１０１でＮＯ、Ｓ２１０２でＹＥＳ）、入力手段と連続入力時間をリセットし、第一の入力手段２０１からの入力信号を受け付ける（Ｓ２１０３、Ｓ２３０４、Ｓ２１０４）。
【００８１】
なお、本実施の形態では、同じ発光・受光素子の組から連続入力検出時間を判定して入力受付禁止状態に遷移するとして説明したが、時間ではなく入力回数により判定してもよい。
【００８２】
また、第二の入力手段からの入力受付禁止状態の画面表示について特に触れていないが、入力受付禁止状態に遷移した場合、表示手段２０６に操作・表示部１０４の清掃を促す表示をさせてもよい。一定時間以上連続して同一の発光・受光素子からの入力信号を検出している場合は、入力が使用者の指による入力ではなくゴミや水などに誤反応して発生している可能性が高いためであり、使用者が操作・表示部１０４の清掃を行うことで誤動作が発生する環境を改善でき操作性を向上できる。なお、表示ではなく音声で通知するようにしてもよい。
【００８３】
また、第二の入力手段からの入力受付を禁止することで操作可能な操作キーが削減されるが、代わりに第一の入力手段に同様の操作キーを表示してもよい。これにより、使用者は操作できる機能が減り困ることはない。
【産業上の利用可能性】
【００８４】
以上のように、本発明に関わる加熱調理器、加熱調理器の操作方法によれば、タッチパネルの操作性、品位を共に損なわない安価なタッチインタフェースを提供できるため、加熱調理を伴うその他の家庭用、業務用の家電機器、例えば電子レンジや炊飯器などにも同様に適用できる。
【符号の説明】
【００８５】
１００  加熱調理器
１０１  トッププレート
１０２Ｌ、１０２Ｒ、１０３  加熱部
１０４  操作・表示部
１０５  電源スイッチ
２０１  第一の入力手段
２０２〜２０５  第二の入力手段
２０６  表示手段
【図１】
2013119953.tif 000003
【図２】
2013119953.tif 000004
【図３】
2013119953.tif 000005
【図４】
2013119953.tif 000006
【図５】
2013119953.tif 000007
【図６】
2013119953.tif 000008
【図７】
2013119953.tif 000009
【図９】
2013119953.tif 000010
【図１０】
2013119953.tif 000011
【図１１】
2013119953.tif 000012
【図１２】
2013119953.tif 000013
【図１４】
2013119953.tif 000014
【図１５】
2013119953.tif 000015
【図１６】
2013119953.tif 000016
【図１７】
2013119953.tif 000017
【図１８】
2013119953.tif 000018
【図１９】
2013119953.tif 000019
【図２０】
2013119953.tif 000020
【図２１】
2013119953.tif 000021
【図２２】
2013119953.tif 000022
【図２３】
2013119953.tif 000023
【図２４】
2013119953.tif 000024
【図２５】
2013119953.tif 000025
【図２６】
2013119953.tif 000026
【図８】
2013119953.tif 000027
【図１３】
2013119953.tif 000028